【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
図柄を変動させて行う図柄変動ゲームを表示する表示手段と、前記図柄変動ゲームが大当りとなるか否かを判定する大当り判定手段と、を備え、前記図柄変動ゲームにおいて予め定めた大当り表示結果が表示された場合には、遊技者に有利となる大当り遊技が生起される遊技機において、
大当りの当選確率を低確率状態から高確率状態へ変動させる確変状態の制御を行う遊技状態制御手段と、
演出を実行する演出実行手段と、
確変状態が付与されているか否かに拘わらず、前記演出実行手段に確変非特定演出を実行させる制御を行う演出制御手段と、
確変状態が付与されているか否かを示唆する演出モードを制御する演出モード制御手段と、を備え、
前記遊技状態制御手段は、特定確変大当りに当選した場合、該特定確変大当りの当選により付与される特定大当り遊技の終了後、確変状態を付与する制御を行う一方、特定非確変大当りに当選した場合、該特定非確変大当りの当選により付与される前記特定大当り遊技の終了後、確変状態を付与しない制御を行い、
前記演出モード制御手段は、前記特定確変大当り又は前記特定非確変大当りに当選した場合において、該特定確変大当り又は該特定非確変大当りの当選により付与される特定大当り遊技の開始までに、確変状態の付与を報知する確変確定演出が実行されないことを条件として、該特定大当り遊技の終了後、特定確変大当り又は特定非確変大当りの当選毎に、確変状態が付与されているか否かが特定し易い演出モードに移行させる制御を行い、第１特別演出モードに滞在中において、前記特定確変大当り又は前記特定非確変大当りに当選したときには、前記特定大当り遊技の開始までに前記確変確定演出が実行されないことを条件として、該特定大当り遊技の終了後に、第２特別演出モードに移行させる制御を行い、前記第２特別演出モードに滞在中において、前記特定確変大当りに当選したときには、前記特定大当り遊技の終了後に、前記第２特別演出モードよりも確変状態が付与されているか否かが特定し易く、確変状態が付与されていることが確定する第３特別演出モードに移行可能に制御を行い、
前記演出制御手段は、前記第１特別演出モードに滞在中において、前記特定確変大当り又は前記特定非確変大当りに当選したときには、前記特定大当り遊技の開始までに前記確変確定演出を実行させないことを条件に、該特定大当り遊技の開始から終了までに前記確変確定演出を実行させない制御を行う一方、前記第２特別演出モード又は前記第３特別演出モードに滞在中において、前記特定確変大当り又は前記特定非確変大当りに当選したときには、前記特定大当り遊技の開始までに前記確変確定演出を実行させないことを条件に、該特定大当り遊技の開始から終了までに前記確変確定演出を実行可能とする制御を行う遊技機。
【請求項２】
前記演出制御手段は、前記第３特別演出モードに滞在中において、前記特定確変大当り又は前記特定非確変大当りに当選したときには、前記第２特別演出モードに滞在中において、前記特定確変大当り又は前記特定非確変大当りに当選したときよりも高い確率で、前記特定大当り遊技の開始から終了までに前記確変確定演出を実行させる制御を行う請求項１に記載の遊技機。
【請求項３】
前記演出モード制御手段は、前記特定確変大当りに当選した場合において、前記特定大当り遊技の開始までに前記確変確定演出が実行されたときには、該特定大当り遊技の終了後、滞在している演出モードに拘わらず、前記第３特別演出モードに移行させる制御を行う請求項１又は請求項２に記載の遊技機。
【請求項４】
前記遊技状態制御手段は、図柄変動ゲームの変動時間を短縮させ得る変短状態の制御を行い、
前記第１特別演出モードは、変短状態が付与されていない非変短状態における演出モードであり、
前記第２特別演出モード及び前記第３特別演出モードは、変短状態における演出モードである請求項１〜請求項３のうち何れか一項に記載の遊技機。
【手続補正２】
【補正対象書類名】明細書
【補正対象項目名】０００８
【補正方法】変更
【補正の内容】
【０００８】
上記問題点を解決するために、請求項１に記載の発明は、図柄を変動させて行う図柄変動ゲームを表示する表示手段と、前記図柄変動ゲームが大当りとなるか否かを判定する大当り判定手段と、を備え、前記図柄変動ゲームにおいて予め定めた大当り表示結果が表示された場合には、遊技者に有利となる大当り遊技が生起される遊技機において、大当りの当選確率を低確率状態から高確率状態へ変動させる確変状態の制御を行う遊技状態制御手段と、演出を実行する演出実行手段と、確変状態が付与されているか否かに拘わらず、前記演出実行手段に確変非特定演出を実行させる制御を行う演出制御手段と、確変状態が付与されているか否かを示唆する演出モードを制御する演出モード制御手段と、を備え、前記遊技状態制御手段は、特定確変大当りに当選した場合、該特定確変大当りの当選により付与される特定大当り遊技の終了後、確変状態を付与する制御を行う一方、特定非確変大当りに当選した場合、該特定非確変大当りの当選により付与される前記特定大当り遊技の終了後、確変状態を付与しない制御を行い、前記演出モード制御手段は、前記特定確変大当り又は前記特定非確変大当りに当選した場合において、該特定確変大当り又は該特定非確変大当りの当選により付与される特定大当り遊技の開始までに、確変状態の付与を報知する確変確定演出が実行されないことを条件として、該特定大当り遊技の終了後、特定確変大当り又は特定非確変大当りの当選毎に、確変状態が付与されているか否かが特定し易い演出モードに移行させる制御を行い、第１特別演出モードに滞在中において、前記特定確変大当り又は前記特定非確変大当りに当選したときには、前記特定大当り遊技の開始までに前記確変確定演出が実行されないことを条件として、該特定大当り遊技の終了後に、第２特別演出モードに移行させる制御を行い、前記第２特別演出モードに滞在中において、前記特定確変大当りに当選したときには、前記特定大当り遊技の終了後に、前記第２特別演出モードよりも確変状態が付与されているか否かが特定し易く、確変状態が付与されていることが確定する第３特別演出モードに移行可能に制御を行い、前記演出制御手段は、前記第１特別演出モードに滞在中において、前記特定確変大当り又は前記特定非確変大当りに当選したときには、前記特定大当り遊技の開始までに前記確変確定演出を実行させないことを条件に、該特定大当り遊技の開始から終了までに前記確変確定演出を実行させない制御を行う一方、前記第２特別演出モード又は前記第３特別演出モードに滞在中において、前記特定確変大当り又は前記特定非確変大当りに当選したときには、前記特定大当り遊技の開始までに前記確変確定演出を実行させないことを条件に、該特定大当り遊技の開始から終了までに前記確変確定演出を実行可能とする制御を行うことを要旨とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項２に記載の発明は、請求項１に記載の遊技機において、前記演出制御手段は、前記第３特別演出モードに滞在中において、前記特定確変大当り又は前記特定非確変大当りに当選したときには、前記第２特別演出モードに滞在中において、前記特定確変大当り又は前記特定非確変大当りに当選したときよりも高い確率で、前記特定大当り遊技の開始から終了までに前記確変確定演出を実行させる制御を行うことを要旨とする。
【手続補正６】
【補正対象書類名】明細書
【補正対象項目名】００１２
【補正方法】変更
【補正の内容】
【００１２】
請求項３に記載の発明は、請求項１又は請求項２に記載の遊技機において、前記演出モード制御手段は、前記特定確変大当りに当選した場合において、前記特定大当り遊技の開始までに前記確変確定演出が実行されたときには、該特定大当り遊技の終了後、滞在している演出モードに拘わらず、前記第３特別演出モードに移行させる制御を行うことを要旨とする。
【手続補正７】
【補正対象書類名】明細書
【補正対象項目名】００１３
【補正方法】変更
【補正の内容】
【００１３】
請求項４に記載の発明は、請求項１〜請求項３のうち何れか一項に記載の遊技機において、前記遊技状態制御手段は、図柄変動ゲームの変動時間を短縮させ得る変短状態の制御を行い、前記第１特別演出モードは、変短状態が付与されていない非変短状態における演出モードであり、前記第２特別演出モード及び前記第３特別演出モードは、変短状態における演出モードであることを要旨とする。
【手続補正８】
【補正対象書類名】明細書
【補正対象項目名】０４０９
【補正方法】変更
【補正の内容】
【０４０９】
次に、上記実施形態及び別例から把握できる技術的思想を以下に追記する。
（イ）  前記演出モード制御手段は、前記第１特別演出モードに滞在中において、前記特別確変大当り又は前記特別非確変大当りに当選した場合には、前記特別大当り遊技の開始までに前記確変確定演出が実行されないことを条件として、該特別大当り遊技の終了後に、前記第２演出モードに移行させるが、前記第２特別演出モード又は前記第３演出モードに滞在中において、前記特別確変大当り又は前記特別非確変大当りに当選した場合には、前記特別大当り遊技の開始までに前記確変確定演出が実行されるか否かに拘わらず、該特別大当り遊技の終了後に、特別大当り遊技の終了後に第２演出モードに移行させない制御を行う。
【手続補正９】
【補正対象書類名】明細書
【補正対象項目名】０４１０
【補正方法】変更
【補正の内容】
【０４１０】
（ロ）  前記演出モード制御手段は、前記第２特別演出モードに滞在中において、前記特別確変大当りに当選したときには、前記特別大当り遊技の終了までに前記確変確定演出が実行されたことを条件として、該特別大当り遊技の終了後に、前記第３特別演出モードに移行させる制御を行う一方、前記第２特別演出モードに滞在中において、前記特別確変大当り又は前記特別非確変大当りに当選したときには、前記特別大当り遊技の終了までに前記確変確定演出が実行されないことを条件として、該特別大当り遊技の終了後に、前記第２特別演出モードよりも確変状態が付与されているか否かが特定し易く、確変期待度が低い第４特別演出モードに移行させる制御を行う。